(57)【特許請求の範囲】
【請求項１】
レジューム機能を有する情報処理装置において、
第１の設定時刻と計時値とが一致したときに信号を出力する第１の計時手段と、
前記第１の計時手段とは異なる第２の計時手段であって、第２の設定時刻と計時値とが一致したときに信号を出力する第２の計時手段と、
前記第１の計時手段から信号が出力されたときには第１の用途に対応するレジューム処理としてサスペンド処理前に動作中であった全ての要素の動作を再開させる処理が行なわれるように制御し、前記第２の計時手段から信号が出力されたときには第２の用途に対応するレジューム処理としてサスペンド処理前に動作中であった特定の要素を動作させる処理が行なわれるように制御する制御手段と
を具備することを特徴とする情報処理装置。
【請求項２】
前記第１の計時手段および前記第２の計時手段は、前記制御手段の外部に設けられており、前記第１の計時手段から出力される信号および前記第２の計時手段から出力される各々の信号を検出し、前記制御手段に対して該当するレジューム処理を要求するレジューム要求信号を出力する手段を更に具備することを特徴とする請求項１記載の情報処理装置。
【請求項３】
前記第１の用途に対応するレジューム処理と、前記第２の用途に対応するレジューム処理とでは、再開後における特定の要素の動作パフォーマンスが異なることを特徴とする請求項１記載の情報処理装置。
【請求項４】
レジューム機能を有する情報処理装置に適用されるレジューム制御方法であって、前記情報処理装置に標準装備される標準ＲＴＣ（Real Time Clock）としての第１の計時手段において第１の設定時刻と計時値とが一致したときに信号を出力させ、一方、前記標準ＲＴＣとは異なる第２の計時手段において第２の設定時刻と計時値とが一致したときに信号を出力させ、
前記第１の計時手段から信号が出力されたときには第１の用途に対応するレジューム処理としてサスペンド処理前に動作中であった全ての要素の動作を再開させる処理が行なわれるように制御し、前記第２の計時手段から信号が出力されたときには第２の用途に対応するレジューム処理としてサスペンド処理前に動作中であった特定の要素を動作させる処理が行なわれるように制御することを特徴とするレジューム制御方法。
【請求項５】
前記第１の用途に対応するレジューム処理と、前記第２の用途に対応するレジューム処理とでは、再開後における特定の要素の動作パフォーマンスが異なることを特徴とする請求項４記載のレジューム制御方法。
【請求項６】
レジューム機能を有する情報処理装置において、
第１の設定時刻と計時値とが一致したときに信号を出力するＲＴＣ（Real Time Clock）と、
前記第１の設定時刻とは異なる第２の設定時刻と計時値とが一致したときに信号を出力するタイマと、
前記ＲＴＣから信号が出力されたときには第１の用途に対応するレジューム処理としてサスペンド処理前に動作中であった全ての要素の動作を再開させる処理が行なわれるように制御し、前記タイマから信号が出力されたときには第２の用途に対応するレジューム処理としてサスペンド処理前に動作中であった特定の要素を動作させる処理が行なわれるように制御するコントローラと
を具備することを特徴とする情報処理装置。
【発明の詳細な説明】
【技術分野】
【０００１】
本発明は、レジューム機能を備えた情報処理装置およびレジューム制御方法に関する。
【背景技術】
【０００２】
パーソナルコンピュータなどの情報処理装置は、非稼動状態（サスペンド状態）からシステムを電源オフ直前の状態に自動復帰させるためのレジューム機能を備えている。このレジューム機能は、情報処理装置に備えられるスケジューラなどにより実現される。
【０００３】
なお、レジューム機能に関しては、様々な提案がなされている。例えば、特許文献１には、各種のプログラムの各々に対してレジューム要因をユーザが指定できるようにし、その対応付けを示すテーブルに基づいてレジューム処理を行う技術が提案されている。
【特許文献１】特開平１０−６３３６２号公報
【発明の開示】
【発明が解決しようとする課題】
【０００４】
一般に、スケジューラによってレジューム機能が実現される場合、情報処理装置に標準装備されているＲＴＣ（Real Time Clock）が用いられるが、このＲＴＣを用いると、特定用途のレジューム処理に対する起動時刻等の管理を行えなくなってしまう。こうした問題は、上述の文献では解決することができない。
【０００５】
本発明は上記実情に鑑みてなされたものであり、一般用途のレジューム処理のみならず特定用途のレジューム処理に関しても動作時刻等の管理を行なうことが可能な情報処理装置およびレジューム制御方法を提供することを目的とする。
【課題を解決するための手段】
【０００６】
本発明に係る情報処理装置は、レジューム機能を有する情報処理装置において、第１の設定時刻と計時値とが一致したときに信号を出力する第１の計時手段と、前記第１の計時手段とは異なる第２の計時手段であって、第２の設定時刻と計時値とが一致したときに信号を出力する第２の計時手段と、前記第１の計時手段から信号が出力されたときには第１の用途に対応するレジューム処理としてサスペンド処理前に動作中であった全ての要素の動作を再開させる処理が行なわれるように制御し、前記第２の計時手段から信号が出力されたときには第２の用途に対応するレジューム処理としてサスペンド処理前に動作中であった特定の要素を動作させる処理が行なわれるように制御する制御手段とを具備することを特徴とする。
【０００７】
本発明に係るレジューム制御方法は、レジューム機能を有する情報処理装置に適用されるレジューム制御方法であって、前記情報処理装置に標準装備される標準ＲＴＣ（Real Time Clock）としての第１の計時手段において第１の設定時刻と計時値とが一致したときに信号を出力させ、一方、前記標準ＲＴＣとは異なる第２の計時手段において第２の設定時刻と計時値とが一致したときに信号を出力させ、前記第１の計時手段から信号が出力されたときには第１の用途に対応するレジューム処理としてサスペンド処理前に動作中であった全ての要素の動作を再開させる処理が行なわれるように制御し、前記第２の計時手段から信号が出力されたときには第２の用途に対応するレジューム処理としてサスペンド処理前に動作中であった特定の要素を動作させる処理が行なわれるように制御することを特徴とする。
【発明の効果】
【０００８】
本発明によれば、一般用途のレジューム処理のみならず特定用途のレジューム処理に関しても動作時刻等の管理を行なうことが可能となる。
【発明を実施するための最良の形態】
【０００９】
以下、図面を参照して、本発明の実施形態について説明する。
【００１０】
まず、図１および図２を参照して、本発明の一実施形態に係る情報処理装置の構成について説明する。この情報処理装置は、例えば、ノートブック型パーソナルコンピュータ１０として実現されている。
【００１１】
図１はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１２】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするための電源ボタン１４、入力操作パネル１５、タッチパッド１６などが配置されている。
【００１３】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生、視聴及び記録を行うためのＴＶ機能を起動するためのボタンである。ＤＶＤ／ＣＤ起動ボタン１５Ｂは、ＤＶＤまたはＣＤに記録されたビデオコンテンツを再生するためのボタンである。
【００１４】
次に、図２を参照して、本コンピュータ１０のシステム構成について説明する。
【００１５】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ１２３、エンベデッドコントローラ／キーボードコントローラＩＣ（ＥＣ／ＫＢＣ）１２４、ネットワークコントローラ１２５、バッテリ１２６、ＡＣアダプタ１２７、電源コントローラ（ＰＳＣ）１２８等を備えている。
【００１６】
ＣＰＵ１１１は本コンピュータ１０の動作を制御するために設けられたプロセッサであり、ハードディスクドライブ（ＨＤＤ）１２１から主メモリ１１３にロードされるオペレーティングシステム（ＯＳ）２００や各種のアプリケーションプログラム２０１を実行する。
【００１７】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１８】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００１９】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた映像データをＬＣＤ１７に表示する。
【００２０】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＴＶチューナ１２３を制御する機能、およびＢＩＯＳ−ＲＯＭ１２０をアクセス制御するための機能も有している。
【００２１】
ＨＤＤ１２１は、各種ソフトウェア及びデータを格納する記憶装置である。光ディスクドライブ（ＯＤＤ）１２３は、ビデオコンテンツが格納されたＤＶＤ、ＣＤなどの記憶メディアを駆動するためのドライブユニットである。ＴＶチューナ１２３は、ＴＶ放送番組のような放送番組データを外部から受信するための受信装置である。
【００２２】
ネットワークコントローラ１２５は、例えばインターネットなどの外部ネットワークとの通信を実行する通信装置である。
【００２３】
エンベデッドコントローラ／キーボードコントローラＩＣ（ＥＣ／ＫＢＣ）１２４は、電力管理を行うためのエンベデッドコントローラと、キーボード（ＫＢ）１３およびタッチパッド１６を制御するためのキーボードコントローラとが集積された１チップマイクロコンピュータである。エンベデッドコントローラ（ＥＣ）は、ユーザによる電源ボタン１４の操作やシステム内で発生するレジューム要求などに応じて本コンピュータ１０をパワーオンしてレジューム処理を行う機能などを有している。
【００２４】
電源コントローラ（ＰＳＣ）１２８は、エンベデッドコントローラ（ＥＣ）からの指示に応じ、バッテリ１２６の電源、またはＡＣアダプタ１２７を介して外部から供給される外部電源に基づいて本コンピュータ１０の各コンポーネントに必要な電源を生成して供給する装置である。
【００２５】
図３は、本コンピュータ１０におけるレジューム処理に関わる部分の第１の構成例を示す図である。なお、図２と共通する要素には、同一の符号を付している。
【００２６】
本コンピュータ１０は、手動による電源オン操作に応じてＯＳ等を電源オフ直前の状態に復帰させるための手動レジューム機能と、所定の条件（例えば、設定時刻と現時刻との一致）が成立したときにＯＳ等を電源オフ直前の状態に復帰させるための自動レジューム機能とを備えている。自動レジューム機能は、例えばスケジューラなどを用いて実現することが可能である。また、本例では、所定のタイマから出力されるアラームに応じて特定の要素（特定の装置もしくはアプリケーション）のみを動作させるための自動レジューム機能も備えている。
【００２７】
電源装置（ＰＳＣ）１２８は、バッテリ１２６やＡＣアダプタ１２７を電力源とし、本コンピュータ１０の電源が投入されている状態ではシステム５０内の各種コンポーネント群（ＯＳや各種アプリケーションなどを実行するために必要なＣＰＵや主メモリなどを含む）に対して主電源（主電力）を供給する。また、電源装置１２８は、本コンピュータ１０の電源が投入されていない状態でも、電力源が有効な限り、常に、ＲＴＣ５１、レジューム検出部５２、およびＥＣ５３に対して補助電源（補助電力）を供給する。
【００２８】
ＲＴＣ５１は、電源装置１２８から供給される補助電源で動作し、時計としての計時機能以外にアラーム機能を備えている。アラーム機能とは、設定時刻と計時値とが一致したときにアラーム信号を出力するものである。このＲＴＣ５１は、図４に示されるように、本コンピュータ１０に標準装備される標準ＲＴＣであり、一般用途に対応するレジューム処理（サスペンド処理前に動作中であった全ての装置やプログラムの動作を再開させる処理）を実行するために使用される計時手段である。
【００２９】
レジューム検出部５２は、電源装置１２８から供給される補助電源で動作し、ＲＴＣ５１から出力されるアラーム信号を検出したときに（現時刻が予め設定された時刻に一致したときに）、レジューム処理を要求するレジューム要求信号を出力する。
【００３０】
ＥＣ５３は、電源装置１２８から供給される補助電源で動作するコントローラであり、本例においては内部にタイマ５４および実行部５５が組み込まれている。タイマ５４は、時計としての計時機能を備えており、設定時刻と計時値とが一致したときにタイムアウトを示す信号を出力する。このタイマ５４は、図３に示されるように、ＥＣ４２内に追加された計時手段であり、特定用途に対応するレジューム処理（特定の装置や特定のプログラムだけを動作させる処理）を実行するために使用される。上記特定の装置や特定のプログラムの例としては、ネットワークにアクセスして新着メールのチェックやデータのダウンロードを行うための通信デバイスやメールソフト（アプリケーション）などが挙げられる。
【００３１】
実行部５５は、ユーザによる電源ボタン１４のオン操作信号、レジューム検出部５２からのレジューム要求信号、タイマ５４から出力されるタイムアウト信号、といった各種の信号を受信することが可能であり、また、各信号をそれぞれ識別することが可能である。そのほか、所定の装置からの呼出し（通信モジュールなどからの呼び出し）を受信することも可能である。実行部５５は、これらの信号のいずれかを受けた場合、該当する装置へ主電源を供給するよう電源装置１２８に指示を送ったり、該当するプログラムを起動・再開するようシステムに要求したりして、該当するレジューム処理が行われるように制御する。  
例えば、電源ボタン１４のオン操作信号やレジューム検出部５２からのレジューム要求信号を受けた場合、実行部５５は、一般用途に対応するレジューム処理（サスペンド処理前に動作中であった全ての装置やプログラムの動作を再開させる処理）が行なわれるように制御する。一方、タイマ５４からのタイムアウト信号を受けた場合、実行部５５は、特定用途に対応するレジューム処理（不要な装置やプログラムは復帰させず、必要な装置やプログラムのみを復帰させる処理）が行なわれるように制御する。
【００３２】
なお、上記構成において、一般用途に対応するレジューム処理と、特定用途に対応するレジューム処理とで、再開後における特定の要素の動作パフォーマンスが異なるように構成してもよい。例えば、特定用途では、特定の装置や特定のプログラムだけを動作させればよいので、ＣＰＵ等の動作周波数が一般用途に比べて低くなるようにし、省電力を図るようにしてもよい。
【００３３】
次に、図５のフローチャートを参照して、本コンピュータ１０のサスペンド処理の実行前の動作を説明する。
【００３４】
本コンピュータ１０においては、予め、ＲＴＣ５１に対するアラームの日時の設定など、レジューム機能に関する必要な設定がなされているものとする。例えばレジューム機能がスケジューラを用いて実現される場合は、スケジューラの設定処理が予めなされている。
【００３５】
ＯＳにおいて、各アプリケーションから各種の情報が取得されると（ステップＳ１１）、これらの情報から、起動時刻の設定などを要求する特定用途のアプリケーションが判別される（ステップＳ１２）。特定用途のアプリケーションが要求する設定内容（起動時刻等）は、ＢＩＯＳ等を通じて所定の記憶領域に記憶される（ステップＳ１３）。そして、サスペンド要求が発生するまで、待機することとなる（ステップＳ１４）。
【００３６】
次に、図６のフローチャートを参照して、本コンピュータ１０のサスペンド処理の動作を説明する。
【００３７】
サスペンドの指示が発生すると、所定の記憶領域から特定用途のアプリケーションに関する情報が参照され、ＥＣ５３内のタイマ５４による計時が必要であるか否かが判定される（ステップＳ２１）。ＥＣ５３内のタイマ５４による計時が必要であると判定された場合、特定用途のアプリケーションが指定する起動時刻がＥＣ５３内のタイマ５４に設定される（ステップＳ２２）。一方、ＥＣ５３内のタイマ５４による計時が必要でないと判定された場合には、当該タイマ５４に対する設定は行われない。そして、システム状態の所定の記憶領域への待避などの処理が行われ、サスペンド処理が実行される（ステップＳ２３）。
【００３８】
次に、図７のフローチャートを参照して、本コンピュータ１０のレジューム処理の実行前の動作を説明する。
【００３９】
レジューム処理の要因となるものは、電源ボタン１４からのオン操作信号の発生、レジューム検出部６２からのレジューム要求信号の発生、ＥＣ５３内のタイマ５４からのライムアウト信号の発生の３つである。すなわち、電源ボタン１４がオン操作された場合には（ステップＳ３１のＹＥＳ）、レジューム処理が開始されることになる。また、電源ボタン１４がオン操作されるのではなく（ステップＳ３１のＮＯ）、ＲＴＣ５１からアラーム信号が発生し、これによりレジューム検出部６２からレジューム要求信号が発生した場合にも（ステップＳ３２のＹＥＳ）、レジューム処理が開始されることになる。また、レジューム要求信号が発生するのではなく（ステップＳ３２のＮＯ）、タイマ５４において計時が行われ（ステップＳ３３）、設定時刻と計時値とが一致してタイムアウト信号が出力された場合にも（ステップＳ３４のＹＥＳ）、レジューム処理が開始されることになる。なお、タイムアウト信号が出力されなければ（ステップＳ３４のＮＯ）、レジューム処理は開始されない。
【００４０】
次に、図８のフローチャートを参照して、本コンピュータ１０のレジューム処理の動作を説明する。
【００４１】
ＥＣ５３内の実行部５５は、信号を受信すると、その信号がＥＣ５３内のタイマ５４からのタイムアウト信号であるか否かを判定する（ステップＳ４１）。受信した信号がＥＣ５３内のタイマ５４からのタイムアウト信号ではなく、電源ボタン１４からのオン操作信号もしくはレジューム検出部６２からのレジューム要求信号である場合には、一般用途に対応するレジューム処理（サスペンド処理前に動作中であった全ての装置やプログラムの動作を再開させる処理）が行なわれるように制御する（ステップＳ４２）。一方、受信した信号がＥＣ５３内のタイマ５４からのタイムアウト信号である場合には、実行部５５は、特定用途に対応するレジューム処理（不要な装置やプログラムは復帰させず、必要な装置やプログラムのみを復帰させる処理）が行なわれるように制御する（ステップＳ４３）。
【００４２】
図９は、図３に示した構成例とは異なる第２の構成例（変形例）を示す図である。以下、図３と異なる要素に関して説明する。
【００４３】
図９の構成例では、ＥＣ５３内にはタイマ５４は設けられない。代わりに、ＥＣ５３の外部にサブＲＴＣ６１が設けられる。このサブＲＴＣ６１は、標準のＲＴＣ５１と基本的には同じ機能を備えている。すなわち、サブＲＴＣ６１は、電源装置１２８から供給される補助電源で動作し、時計としての計時機能以外にアラーム機能を備えている。但し、このＲＴＣ６１は、特定用途に対応するレジューム処理（特定の装置や特定のプログラムだけを動作させる処理）を実行するために使用される。サブＲＴＣ６１において設定時刻と計時値とが一致したときに出力されるアラーム信号は、レジューム検出部６２へ送られる。
【００４４】
また、本例におけるレジューム検出部６２は、ＲＴＣ５１から出力されるアラーム信号を検出した場合には、一般用途に対応するレジューム要求信号をＥＣ５３へ送り、一方、サブＲＴＣ６１から出力されるアラーム信号を検出した場合には、特定用途に対応するレジューム要求信号をＥＣ５３へ送る。
【００４５】
また、本例における実行部６３は、電源ボタン１４のオン操作信号や、ＲＴＣ５１でのアラーム信号発生によりレジューム検出部５２から出力された一般用途のレジューム要求信号を受けた場合、一般用途に対応するレジューム処理（サスペンド処理前に動作中であった全ての装置やプログラムの動作を再開させる処理）が行なわれるように制御する。一方、サブＲＴＣ６１でのアラーム発生によりレジューム検出部５２から出力された特定用途のレジューム要求信号を受けた場合、実行部６３は、特定用途に対応するレジューム処理（不要な装置やプログラムは復帰させず、必要な装置やプログラムのみを復帰させる処理）が行なわれるように制御する。
【００４６】
なお、本例における動作は、既に説明した第１の構成例による動作（図５〜図８）に類似したものとなる。本例の動作は、実行部６３が、ＥＣ内のタイマのタイムアウト信号を受けるのではなく、サブＲＴＣ６１でのアラーム発生によりレジューム検出部５２から出力される特定用途のレジューム要求信号を受けるという点以外は、図５〜図８の動作と同様となるため、その説明を省略する。
【００４７】
このように本実施形態によれば、標準のＲＴＣ以外に別の計時手段を設け、一般用途のレジューム処理のみならず特定用途のレジューム処理に関しても動作時刻等の管理を行なえるようにしているため、ユーザの使い勝手を向上させることが可能となる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】本発明の一実施形態に係るコンピュータのディスプレイユニットを開いた状態における正面図。
【図２】同コンピュータのシステム構成を示す図。
【図３】同コンピュータにおけるレジューム処理に関わる部分の第１の構成例を示す図。
【図４】標準のＲＴＣと追加のタイマとの違いを説明するための図。
【図５】同コンピュータにおけるサスペンド処理の実行前の動作を示すフローチャート。
【図６】同コンピュータにおけるサスペンド処理の動作を示すフローチャート。
【図７】同コンピュータにおけるレジューム処理の実行前の動作を示すフローチャート。
【図８】同コンピュータにおけるレジューム処理の動作を示すフローチャート。
【図９】図３に示した構成例とは異なる第２の構成例（変形例）を示す図。
【符号の説明】
【００５０】
１０…ノートブック型パーソナルコンピュータ、１１…コンピュータ本体、１２…ディスプレイユニット、１４…電源ボタン、５０…システム、５１…ＲＴＣ、５２，６２…レジューム検出部、５３…ＥＣ、５４…タイマ、５５，６３…実行部、６１…サブＲＴＣ、１１１…ＣＰＵ、１１３…メモリ、１２４…エンベデッドコントローラ／キーボードコントローラＩＣ（ＥＣ／ＫＢＣ）、１２５…ネットワークコントローラ、１２６…バッテリ、１２７…ＡＣアダプタ、１２８…電源装置（ＰＳＣ）、２００…オペレーティングシステム（ＯＳ）、２０１…アプリケーション。
【図１】
0004746404.tif 000002
【図２】
0004746404.tif 000003
【図３】
0004746404.tif 000004
【図４】
0004746404.tif 000005
【図５】
0004746404.tif 000006
【図６】
0004746404.tif 000007
【図７】
0004746404.tif 000008
【図８】
0004746404.tif 000009
【図９】
0004746404.tif 000010